(57)【特許請求の範囲】
【請求項１】
一枚以上のカーカスプライで形成されたカーカス層のクラウン部のタイヤ径方向外側に、ベルト層とトレッド部とを順次備え、
前記ベルト層は、単線または並列した複数本のコードを被覆ゴム中に埋設してなる帯状のゴム被覆コード層をタイヤ周方向に対して０〜５度の範囲内のコード角度をなすようにスパイラル状に巻回してなるスパイラルベルト層を少なくとも１枚有する二輪車用空気入りタイヤにおいて、
前記カーカス層を構成するカーカスプライのコード角度はタイヤ周方向に対して３０〜９０度の範囲内とされ、
タイヤセンターからトレッド端までのトレッド表面距離をＬとした場合に、タイヤセンターから０．６５Ｌ〜０．８５Ｌの位置までの範囲内にのみ前記スパイラルベルト層が存在し、
前記カーカス層と前記スパイラルベルト層との間にベルト部材が存在せず、
タイヤ径方向において、最外側の前記スパイラルベルト層よりも外側かつ前記トレッド部よりも内側に、タイヤ周方向に対するコード角度が８５〜９０度の範囲内とされた有機繊維コードを含むベルト補強層を、トレッド全幅２Ｌの９０％以上の幅で配置したこと、を特徴とする二輪車用空気入りタイヤ。
【請求項２】
前記カーカス層には２枚以上のカーカスプライが設けられ、
少なくとも２枚のカーカスプライがタイヤ周方向に対して交錯していることを特徴とする請求項１に記載の二輪車用空気入りタイヤ。
【請求項３】
前記ベルト補強層の半径方向内側のコーティングゴム層の厚みを０．３ｍｍ以上１．０ｍｍ以下とすることを特徴とする請求項２に記載の二輪車用空気入りタイヤ。
【発明の詳細な説明】
【技術分野】
【０００１】
本発明は、高速時の操縦安定性能を高めた二輪車用空気入りタイヤに関し、更に詳細には、特に自動２輪車に最適で、車両を大きく倒す深いコーナリング時のトラクション性能も向上させた二輪車用空気入りタイヤに関する。
【背景技術】
【０００２】
高性能の二輪車用空気入りタイヤでは、タイヤの回転速度が高速となるので遠心力の影響が大きく、タイヤのトレッド部分がタイヤ径方向外側に膨張してしまって操縦安定性能を害する場合がある。これを防止するために、タイヤのトレッド部分に、有機繊維やスチールの補強部材（スパイラル部材）を、タイヤ赤道面（タイヤセンター）と概略平行になるように、ぐるぐると巻きつけるタイヤ構造が開発されている。タイヤ赤道面に沿ってスパイラル状に巻きつける補強部材としては、ナイロン繊維（「ナイロン」はデュポン社の登録商標）や芳香族ポリアミド（ケブラー）、スチールなどを用いている。中でも、芳香族ポリアミド（ケブラー）やスチールは、高温時においても伸張せずにトレッド部分の膨張を抑制することができるため、注目されつつある。
【０００３】
これらの部材をタイヤのクラウン部分にまきつけた場合に、いわゆる「たが」効果（風呂桶のたがのようにタイヤのクラウン部を押さえつけて、高速でタイヤが回転した場合でもタイヤが遠心力で膨らむことなく、高い操縦安定性能や耐久性を示す効果）を高めることが出来るので、スパイラルコードをタイヤのクラウン部に配置することが多数提案されている（例えば特許文献１〜５参照）。
これらのスパイラル部材を巻きつけた二輪車用空気入りタイヤにおいては、高速時の操縦安定性能が優れ、トラクション性能が非常に高いことが知られている。
【０００４】
しかし、二輪車用空気入りタイヤを装着した車両（例えばバイク）を大きく倒したときの操縦安定性能（特に旋回性能）については、補強部材（スパイラル部材）を巻きつけたからといって飛躍的に向上するわけではない。ライダーなどからは、バイクを大きく倒した時のグリップ性の向上を要望されることもある。
【特許文献１】特開２００４−０６７０５９号公報
【特許文献２】特開２００４−０６７０５８号公報
【特許文献３】特開２００３−０１１６１４号公報
【特許文献４】特開２００２−３１６５１２号公報
【特許文献５】特開平０９−２２６３１９号公報
【発明の開示】
【発明が解決しようとする課題】
【０００５】
本発明は、上記事実を考慮して、特に旋回時における操縦安定性能を更に高めた二輪車用空気入りタイヤを提供することを課題とする。
【課題を解決するための手段】
【０００６】
本発明者は、本発明を完成するにあたり、以下の検討を行った。
二輪車用空気入りタイヤでは、２輪車が車体を傾けて旋回することから、直進時と旋回時とでは、トレッド部が地面と接する場所が異なる。つまり、直進時にはトレッド部の中央部分を使い、旋回時にはトレッド部の端部を使う特徴がある。そのためにタイヤの形状が乗用車用のタイヤに比べて非常に丸い。この丸いクラウン形状（タイヤのトレッド部分の形状）によって、特に旋回中は次のような独特な特性が見られる。
【０００７】
二輪車用空気入りタイヤでは、特に車体を大きく倒した場合の旋回性能については、タイヤのトレッドの片側の端部が接地してグリップ力を発生させている。車体を大きく倒して旋回する場合、図４に示すような接地状態となる。このときの接地形状について考察すると、図４のように、接地形状のセンター寄りと、接地形状のトレッド端部寄りとでトレッド部の変形状態が異なる。トレッド部１０８のタイヤの回転方向（タイヤ周方向、またはタイヤ前後方向とも呼ばれる）の変形を見てみると、センター寄りのトレッド部分１０８Ｃではドライビング状態であり、トレッド端部寄りのトレッド部分１０８Ｅではブレーキング状態である。
【０００８】
ここで、ドライビングとは、タイヤを赤道方向にそって輪切りにした場合に、そのトレッド部分の変形が、トレッド下面（タイヤ内部の骨格部材に接している面）がタイヤ進行方向後方にせん断される力を受け、路面に接地しているトレッド表面がタイヤ進行方向前方に変形しているせん断状態のことであり、ちょうどタイヤに駆動力をかけたときに起こる変形である。一方、ブレーキングはドライビングの逆であり、ブレーキングでは、トレッドの変形はタイヤ内部側（ベルト）が前方にせん断される力を受け、路面に接地しているトレッド表面が後方に変形しているせん断状態となっており、制動したときのタイヤの動きとなる。図４のように、キャンバ角４５度のように大きな角度で傾いて旋回するときには、タイヤに駆動力や制動力が加わっていない状態での回転でも、トレッドセンター寄りの接地領域にドライビング状態が現れ、トレッド端部寄りにブレーキング状態が現れる。これは、タイヤのベルト部の半径の差（径差）による。二輪車用空気入りタイヤでは、タイヤのクラウン部が大きな丸みを帯びているため、回転軸からベルトまでの距離がトレッドセンター部とトレッド端部とで大きく異なる。図４の場合では、接地部分のセンター寄りの位置での半径Ｒ１は、接地部分のトレッド端部寄りの位置での半径Ｒ２よりも明らかに大きい。タイヤが回転する角速度は同じであるので、ベルト部の速度（タイヤが路面に接触している場合では、路面に沿ったタイヤ周方向の速度をいう。ベルト半径にタイヤ角速度をかけたもの）は、半径の大きいＲ１の部分の方が速い。タイヤのトレッド表面は、路面に接触した瞬間では前後方向にせん断される力を受けていないが、路面に接触したままタイヤ回転にあわせて進み、路面から離れるときには前後方向のせん断変形を受けている。このとき、ベルトの速度が速いタイヤセンター寄りのトレッド部分１０８Ｃではドライビング状態のせん断変形が生じており、タイヤのトレッド端部側（トレッド端部寄りのトレッド部分１０８Ｅ）ではベルトの速度が遅いのでブレーキング変形が生じている。これが、トレッド部１０８の前後方向の変形形態である。
【０００９】
このような旋回中の余計な変形によって、タイヤショルダー部では偏摩耗を起こしやすい。また、トレッドが前方や後方の逆の剪断変形を起こすことから、無駄な挙動を含み、旋回時のタイヤグリップ力に無駄が生じる。理想的には接地しているトレッド部分の変形が全て同じ挙動であればグリップ力が最大になるが、先のような余計な変形が発生して接地している場所によってはグリップ力が発生しない場合がある。例えば、タイヤが傾いたままタイヤに駆動力を加えて加速するときでは、すでにドライビング状態にあるセンター寄りのトレッド部分１０８Ｃでは駆動力がタイヤに加わるとすぐに駆動グリップ力が発揮されるが、すでにブレーキング状態にあるトレッド端寄りのトレッド部分１０８Ｅでは、一度ブレーキング変形がニュートラルに戻り、それから駆動側の変形へとシフトするため、なかなか駆動力に寄与できない。トレッド端寄りのトレッド部分１０８Ｅをドライビング状態にするためには、大きなトラクション力が必要であり、このようなトラクション力を加えるためにアクセルを開いてタイヤに駆動力を加えると、もともとドライビング状態にあるタイヤセンター側のトレッドが滑って空転状態に陥りやすい。
【００１０】
このような問題に対して、もともとブレーキング側にあるタイヤショルダー部のトレッド変形を、少しでもドライビング側にしておけば、トレッド端部でもトラクション力を大きく発揮できると考えられる。このためには、トレッド端部でのベルトの速度を速めることが解決方法の１つであるが、このベルトの速度は先に述べたようにベルト半径によって決まっており、ベルト半径を大きくし過ぎると二輪車用空気入りタイヤとして用いることができなくなる。
【００１１】
そこで、トレッド端部については、接地してからタイヤ周方向にベルトが伸びやすい構造にすることで、ベルト速度を速めることが考えられる。すなわち、大キャンバ角度が付く旋回時（以下、大キャンバ時という）において、接地部分のうちセンター側半部はベルトがタイヤ周方向（赤道方向）に伸びない構造で、トレッド端側の半部はベルトがタイヤ周方向に伸び得る構造とすれば、接地してからトレッド端側のベルトが伸びることでトレッド端側のベルト速度が増し、トレッド端側のブレーキング変形を少なくすることができる。その結果、大キャンバ時のトラクション性能（バイクを大きく傾けた旋回からの加速性能）が向上する。
【００１２】
従来の技術では、スパイラルベルト層をトレッドの全領域に巻きつけることが普通である。このようなタイヤであるとトレッドのショルダー部のベルトを赤道方向に伸ばすことはできない。そこで、スパイラルベルトをトレッド端部付近に巻かずに、センター側だけの配置とすれば、大キャンバ時にトレッド端部のべルト速度が増して、トラクション性能を向上させることができる。また、大キャンバ時にトレッドショルダー部のベルトの速度が増すということは、トレッドセンター側のベルトの速度に近づくことであり、これによって、接地しているトレッド部分の余計な動きが抑制される。つまり、これまで逆方向の剪断力を受けるトレッドが、同じ方向の剪断力を受けることになり、無駄な動きが排除されて、偏摩耗の発生を抑制することができる。またトレッドセンター部にはスパイラルベルト層が配置されているため、高速走行時（速度が速いので、二輪車用空気入りタイヤを装着している車両（バイクなど）が直立している時）でのタイヤの遠心力による膨張を抑制することができ、結果として高速時の操縦安定性能が、全幅のスパイラルベルト層を持つタイヤ並みに維持される。
【００１３】
本発明者は、以上のような検討を行うとともに実験を重ねて更に検討を加え、本発明を完成するに至った。
【００１４】
請求項１に記載の発明は、一枚以上のカーカスプライで形成されたカーカス層のクラウン部のタイヤ径方向外側に、ベルト層とトレッド部とを順次備え、前記ベルト層は、単線または並列した複数本のコードを被覆ゴム中に埋設してなる帯状のゴム被覆コード層をタイヤ周方向に対して０〜５度の範囲内のコード角度をなすようにスパイラル状に巻回してなるスパイラルベルト層を少なくとも１枚有する二輪車用空気入りタイヤにおいて、前記カーカス層を構成するカーカスプライのコード角度はタイヤ周方向に対して３０〜９０度の範囲内とされ、タイヤセンターからトレッド端までのトレッド表面距離をＬとした場合に、タイヤセンターから０．６５Ｌ〜０．８５Ｌの位置までの範囲内にのみ前記スパイラルベルト層が存在し、前記カーカス層と前記スパイラルベルト層との間にベルト部材が存在せず、タイヤ径方向において、最外側の前記スパイラルベルト層よりも外側かつ前記トレッド部よりも内側に、タイヤ周方向に対するコード角度が８５〜９０度の範囲内とされた有機繊維コードを含むベルト補強層を、トレッド全幅２Ｌの９０％以上の幅で配置したこと、を特徴とする。
【００１５】
タイヤ周方向に対して０〜５度の範囲内としたのは、製造上の誤差を考慮したからである。
また、請求項１に記載の発明では、スパイラルベルト層の幅を規定しており、トレッド半分のトレッド表面の幅をＬとしている。つまり、タイヤセンターからタイヤの表面に沿ってトレッド端までの距離をＬとしている。このとき、スパイラルベルト層の幅をタイヤセンターから０．６５Ｌ〜０．８５Ｌの位置までの範囲と規定している。つまり、何れのトレッド端側であってもトレッド端から幅０．３５Ｌ〜０．１５Ｌの範囲にはスパイラルベルト層は存在しない。
【００１６】
スパイラルベルト層の幅を０．６５Ｌ〜０．８５Ｌとした根拠は、バイクが最も大きく倒れるときであるキャンバ角５０度付近での接地部分を考慮したことに基づく。キャンバ角５０度の旋回時には、トレッド全幅２Ｌのうちの０．４〜０．５Ｌの幅部分のみが接地している。請求項１に記載の発明では、上記のように、トレッドセンター部にスパイラルベルト層を形成して大キャンバ時には骨格部材が接地範囲において周方向に伸びることを防止し、逆にトレッド端部側ではスパイラルベルト層を形成せずに骨格部材をタイヤ周方向に積極的に伸ばすことができる構成とする。接地部の半分は０．２〜０．２５Ｌだけトレッド端から離れた位置であり、この付近にスパイラルベルト層の端部を配置するのが好ましい。ただし、厳密に接地の半分にするのではなく、接地部分のトレッドショルダー側にスパイラルベルトが巻かれていなければ、効果は認められる。それゆえ、０．６５Ｌ〜０．８５Ｌの位置までの範囲としている。
【００１７】
スパイラルベルト層の幅が０．６５Ｌ未満だと、大キャンバ時における接地面のタイヤセンター側でもスパイラルベルト層が伸びてしまい、センター側のベルト速度も増してしまって効果が得られにくくなる。スパイラルベルト層の幅が０．８５Ｌを超えると大キャンバ時における接地面のショルダー側（トレッド端側）でベルトが伸びにくくなってしまい、ショルダー側のベルト速度を速めることができず、効果が得られにくい。
スパイラルベルト層の幅は、好ましくは、０．７Ｌ〜０．８Ｌの範囲内であり、更に好ましくは０．７５Ｌ〜０．８Ｌの範囲内である。
【００１８】
なお、スパイラルベルト層を構成するコードの材質については、スチールでも有機繊維でもかまわない。これは、スパイラルベルト層は交錯していないため、必要以上にベルトの面外曲げ剛性を高める心配がないからである。ショルダー部のベルトのように交錯させる場合は、スチールコードの使用は避けるべきである。交錯ベルト層の材質としては、芳香族ポリアミドのように、引っ張り剛性が高く熱にも強い繊維が好ましい。
【００１９】
また、請求項１に記載の発明では、カーカス層とスパイラルベルト層との間に交錯ベルト層が存在しない。これにより、タイヤ構成を簡素にすることができるとともに、製造工程にかかる時間を短縮することができる。
また、カーカスプライ（ボディプライ）は１層以上としている。１層の場合ではタイヤ周方向に対して９０度をなす方向、つまりラジアル方向に配置することが殆どである。２層の場合では、ラジアル方向に２枚重ねても良いし、タイヤ周方向に対して７０度のように角度をつけて互いに交錯させて配置しても良い。また、カーカスプライのビード部での係止方法は、ビードコアに巻きまわして折り返す形で係止しても良いし、ビード先端でカーカスプライを切断し、そのコード端部の両側にビードワイヤーを配置してビードワイヤーでカーカスプライを挟み込む形で係止しても良い。
【００２０】
カーカス層のコードをタイヤ周方向（タイヤ赤道方向）に対して交錯させる場合は、３０度以上の角度で交錯させることが好ましい。タイヤ周方向に対するカーカス層のコード角度が３０度未満になると、これはスパイラルベル卜層のコード角度に近づく方向であり、タイヤ周方向にベルトが伸び難くなってくる。こうなると、ショルダー部の骨格部材を接地領域で赤道方向に伸ばし難くなる。このため、ショルダー部の速度が増さずに、ショルダー部のトレッドがブレーキング変形のままであり、トラクショングリップを得にくい他、偏摩耗を発生しやすい。
【００２１】
カーカス層のコードは有機繊維コードであることが好ましい。スチールコードのようにコードの圧縮方向にも剛性を持つコードをカーカスに用いると、骨格部材が面外に曲がり難くなり、接地面積が小さくなってグリップ力が低下し易い。有機繊維コードであれば、コード方向の圧縮については大きな剛性を持たずに、骨格部材の面外剛性を低下させて接地面積を大きくすることができ、かつ、コードの引っ張り方向には非常に強い剛性をもつため、効果的に面内剛性を高めることができる。カーカス層のコード材質としては、ナイロンや芳香族ポリアミド（商品名は例えばケブラー）が好ましい。
【００２２】
なお、スパイラルベルト層のコードについては、スチールコードでも有機繊維コードでもかまわない。スパイラルベルト層のコードがタイヤ周方向に対してなす角度は０〜５°の範囲内とされているので、スパイラルベルト層にスチールコードを配置しても、必要以上にベルトの面外曲げ剛性を高めるおそれがないからである。
また、請求項１に記載の発明では、スパイラルベルト層のタイヤ径方向外側に、タイヤ周方向（赤道方向）に対して８５〜９０度以内の角度をなす有機繊維部材を配置することを規定している。これは、トレッド部で、スパイラルベルト層が存在する部分とスパイラルベルト層が存在しない部分とがあるため、その両者の境界でタイヤの骨格部材の剛性が急激に変わり、この部分を接地端が乗り越すとき（すなわち、タイヤをどんどん傾けて旋回するときに接地部分が移動してこの境界を乗り越えるとき）に、ライダーがタイヤの段差を感じて、違和感を感じることを防止するためである。トレッドゴムに比べて内部のベルト等のコードでは剛性が非常に大きい。そのため、内部の骨格部材に不連続な部分があるとその段差をライダーが感じる。そこで、請求項３のように、最外層のベルトがタイヤセンターからタイヤショルダーまで連続することでライダーがこの段差を感じにくくなっている。ライダーにこの段差を最も効果的に感じさせなくするには、タイヤ幅方向に沿って（すなわちタイヤ周方向に対して９０度をなす方向に）コードを配置することが好ましい。請求項１に記載の発明でタイヤ周方向（赤道方向）に対して８５〜９０度以内としたのは、製造上の誤差を考慮したからである。
また、ベルト補強層の幅についてはトレッド全幅２Ｌの９０％以上としている。ベルト補強層を設けた目的は、上記の段差を感じさせなくすること、つまりスパイラルベルト層の端部をベルト補強層で覆って最外層のベルトが分断されないようにすることである。そのため、ベルト補強層の幅を広くしてトレッド部の全領域を覆う配置がより好ましいが、９０％以上であれば、充分にスパイラルベルト層の段差を覆うことができるからである。なお、上限については請求項３には規定していないが、トレッド全幅を超えてサイドウォール部に達してもかまわない。つまり、１１０％となってもかまわない。好ましくは、サイドウォール部の最大幅に達しない程度である１１０％が上限であり、更に好ましくは１０５％である。
ここで、トレッド全幅とは、トレッド部のペリフェリ方向幅のことである。トレッド部のペリフェリ方向幅とは、トレッド部の外周に沿った略円弧方向の幅のことであり、走行時にあらゆるキャンバ角（ＣＡ）で接地する領域の幅のことである。
また、二輪車用空気入りタイヤでは断面形状がとても丸い。このため、幅方向でコードの圧縮側に剛性を有するスチールコードを用いたベルト補強層を配置してしまうと、タイヤが撓みにくくなり、接地面積が減少し易い。従って、請求項１に記載のようにベルト補強層が有機繊維コードを含むと、このようなことが回避可能となる。
なお、ベルト補強層によってスパイラルベルト層の端部の段差が解消される。従って、コード径が細すぎてはあまり効果がない。また、コード径が太すぎると、有機繊維コードであっても圧縮側に剛性を持ってしまう。従って、ベルト補強層のコード径は０．４ｍｍφ以上１．２ｍｍφ以下であることが好ましい。
【００２３】
請求項２に記載の発明は、前記カーカス層には２枚以上のカーカスプライが設けられ、
少なくとも２枚のカーカスプライがタイヤ周方向に対して交錯していることを特徴とする。
【００２４】
スパイラルベルト層が形成されていない部分では、トレッド端部の骨格部材はタイヤ周方向（タイヤ赤道方向）に伸びる。カーカス層のコード角度（カーカス層を構成するコードがタイヤ周方向に対してなす角度）が９０度の場合、即ちカーカスプライがラジアルプライである場合が最もタイヤ周方向に伸びやすい。ラジアルプライの場合ではプライ（カーカス）枚数を１枚とするタイヤ構成にし易い。
一方、スパイラルベルトが巻かれていないトレッドショルダー部において、カーカス層は、交錯することで骨格部材としての面内剪断剛性を高めることができ、ＳＡが付いたときの横力を大きくできる特性がある。交錯させるときはカーカスプライを２枚以上とする。
【００２５】
カーカスプライに角度を付けて交錯させた場合でも、スパイラルベルトを形成しなければ周方向に伸びることができる。カーカスプライを赤道方向に対して９０度とする場合が最も周方向に伸びやすくなるが、これに比べると、交錯させて配置した場合は周方向の伸び量は小さくなるものの、スパイラルベルトを配置している部分よりは明確に伸びるため、ショルダー側の骨格部材の周方向速度が上がって、ショルダー側のブレーキング変形、センター側のドライビング変形を緩和できる。そのため、トレッドの滑りが減少し、グリップ性能、耐摩耗性能が良くなる。更に、カーカスプライを交錯させることで、骨格部材の面内せん断剛性を高めることができるため、横力を大きくできる特性があり、旋回時の横方向のグリップ性能を向上させることができる。
【００２６】
カーカスプライを交錯させて配置させる場合は、交錯角度は赤道方向に対して、３０度以上８５度以下が良い。８５度よりも大きいと、すなわちこれは９０度に近いラジアル構造となり、骨格部材の面内せん断剛性を高める必要が少なくなる。３０度未満であると、赤道方向に対して交錯したカーカスプライが伸びにくくなり、ショルダー側のブレーキング変形、センター側のドライビング変形を緩和する効果が少なくなる。好ましくは４５度以上８５度未満が良い。
【００３１】
請求項３に記載の発明は、前記ベルト補強層（有機繊維部材）の半径方向内側（スパイラルベルト層側）のコーティングゴムの厚みを０．３ｍｍ以上１．０ｍｍ以下とすることを特徴としている。
【００３２】
スパイラルベルト層に直接的にベルト補強層の有機繊維コードが接触するよりも、両者の間にゴム層を介して接触した方が、ゴム層がクッションの役割を担って、スパイラルベルト層が存在する部分と存在しない部分との段差をさらに感じさせなくすることができる。通常のコーティングゴムの厚みは０．２ｍｍ以下であるが、前記８５度〜９０度以内の角度をなす有機繊維部材のスパイラルベルト層側のコーティングゴムの厚みを０．３ｍｍ〜１．０ｍｍのように厚くすると更に好ましい。また、コーティングゴムではなく、別の種類のゴムを厚さ０．３ｍｍ〜１．０ｍｍでスパイラルベルト層と８５〜９０度以内の角度をなす有機繊維部材の間に配置しても構わない。
【発明の効果】
【００３３】
本発明によれば、特に旋回時における操縦安定性能を更に高めた二輪車用空気入りタイヤを実現させることができる。
【発明を実施するための最良の形態】
【００３４】
以下、実施形態を挙げ、本発明の実施の形態について説明する。なお、第２実施形態以下では、既に説明した構成要素と同様のものには同じ符号を付して、その説明を省略する。また、以下の説明では、ベルト等の幅はペリフェリ方向幅のことである。
【００３５】
［第１実施形態］
まず、第１実施形態について説明する。図１に示すように、本実施形態に係る二輪車用空気入りタイヤ１０は、左右一対のビード部１２と、ビード部１２からトロイド状に延びるカーカス層１４と、を備えている。
【００３６】
カーカス層１４は、ビード部１２のビードコア１１にトロイド状に跨っている。カーカス層１４を構成するカーカスプライ（ボディプライ）は一層であっても複数層であってもよい。カーカス層１４が２枚のカーカスプライ１５Ａ、１５Ｂで構成される場合には、カーカスプライ１５Ａ、１５Ｂを構成するコードの方向がラジアル方向（タイヤ周方向に対する角度が９０度である方向）であっても良いが、タイヤ周方向に対するコード角度が３０度〜８５度の範囲のプライを互いに交錯させて使用するバイアス構造としても良い。
【００３７】
カーカスプライ１５Ａ、１５Ｂの端部はビードコア１１で係止され、両側からビードワイヤー１３が挟みこんでいる。なお、カーカスプライ１５Ａ、１５Ｂの端部がビードコア１１を折り返すように巻き上げられていても良い。
【００３８】
また、二輪車用空気入りタイヤ１０は、カーカス層１４のクラウン部１４Ｃのタイヤ径方向外側に、ベルト層として配置されたスパイラルベルト層２０と、溝を配置したトレッド部１８とを順次備えている。なお、トレッド部１８には溝を配置しなくてもよい。
【００３９】
このスパイラルベルト層２０は、単線または並列した複数本のコードを被覆ゴム中に埋設してなる帯状のゴム被覆コード層２１をタイヤ周方向に対して０〜５度の範囲内のコード角度をなすようにスパイラル状に巻回してなるものである。タイヤセンターＣＬからトレッド端Ｔまでのトレッド表面距離（すなわち、トレッド部１８のペリフェリ方向幅の１／２）をＬとした場合に、タイヤセンターＣＬから０．６５Ｌ〜０．８５Ｌの位置までの範囲内にのみこのスパイラルベルト層２０が存在する。
各カーカスプライ１５Ａ、１５Ｂでは、ナイロン繊維を撚ってナイロンコードとしたものが所定間隔で配列されている。
【００４０】
このように、本実施形態では、スパイラルベルト層２０がタイヤセンターＣＬから０．６５Ｌ〜０．８５Ｌの位置までの範囲内にのみ存在するようにスパイラルベルト層２０の幅を規定している。
【００４１】
ここで、大キャンバ時となる旋回時には、トレッド端部付近のトレッド部分が接地部となっている。従って、スパイラルベルト層２０が形成されていないトレッド部分では骨格部材をタイヤ周方向に積極的に伸ばすことができる構成となっているとともに、スパイラルベルト層２０が形成されているトレッド部分では骨格部材が接地範囲においてタイヤ周方向に伸びることを防止している。
これにより、高速走行時の操縦安定性能を高く維持し、車体を大きく倒した旋回時の操縦安定性能（トラクション性能）を向上させた二輪車用空気入りタイヤ１０とすることができる。また、ショルダー部の摩耗を抑制することができる。
【００４２】
また、二輪車用空気入りタイヤ１０では、カーカス層１４のタイヤ径方向外側にスパイラルベルト層２０が隣接しており、カーカス層１４とスパイラルベルト層２０との間に交錯ベルト層などのベルト部材が存在しない。
これにより、二輪車用空気入りタイヤ１０のタイヤ構成を簡素にすることができ、製造工程にかかる時間を短縮することができる。
【００４３】
［第２実施形態］
次に、第２実施形態について説明する。図２に示すように、本実施形態に係る二輪車用空気入りタイヤ２６は、第１実施形態に比べ、スパイラルベルト層２０の半径方向外側に、すなわちスパイラルベルト層２０とトレッド部１８との間に、タイヤ周方向に対する角度が９０度とされた補強ベルト２２を、トレッド全幅２Ｌの９０％以上の幅で１枚追加した構造である。
【００４４】
この構造により、タイヤをどんどん傾けて旋回する際、接地部分が移動してこの境界を乗り越えるときスパイラルベルト層２０が存在する部分とスパイラルベルト層２０が存在しない部分（トレッドショルダー部ＴＳ）との境界Ｂを接地端が乗り越しても、ライダーがタイヤの段差による違和感を感じることが防止される。
なお、補強ベルト２２の幅がトレッド全幅２Ｌの９０％以上としているので、充分にスパイラルベルト層２０の段差を覆うことができる。
【００４５】
＜試験例＞
本発明の効果を確かめるために、本発明者は、本発明に係る二輪車用空気入りタイヤの６例（以下、実施例１〜７という）、比較のための二輪車用空気入りタイヤの三例（以下、比較例１〜３という）、及び、従来例の二輪車用空気入りタイヤの一例（以下、従来例という）について、性能試験を行って性能を評価した。
【００４６】
タイヤサイズは全て１９０／５０ＺＲ１７である。また、各タイヤでは、カーカス層には２枚のカーカスプライが配置されている。また、各タイヤでは、トレッド部に溝を配置していない。
【００４７】
（従来例）
従来例は、図５に示す構造にされたタイヤであり、カーカス層８２と、そのタイヤ径方向外側にスパイラルベルト層８０とトレッド部８８とを順次備えている。
【００４８】
スパイラルベルト層８０の幅はトレッド全幅（２Ｌ）と同じで２４０ｍｍである。カーカス層８２を構成するカーカスプライのコード角度は、タイヤ周方向に対して４５度で交錯する角度である。
【００４９】
（実施例１）
実施例１は、第１実施形態に係る二輪車用空気入りタイヤ１０の一例であり、図１に示す構造にされた二輪車用空気入りタイヤである。スパイラルベルト層２０の幅はトレッド全幅２Ｌ（２４０ｍｍ）の０．７５倍とされていて１８０ｍｍ（タイヤセンター（タイヤ赤道面）ＣＬからの片側の幅は９０ｍｍ）である。なお、本実施例ではトレッドショルダー部ＴＳではスパイラルベルト層２０が巻かれていない。また、トレッド部１８の厚みは７ｍｍである。
【００５０】
カーカスプライ１５Ａ、１５Ｂのコード材質はナイロンである。本実施例では、ナイロン繊維を撚って０．６ｍｍφのコードとした。トレッドショルダー部ＴＳでは、ナイロンコードを６０本／５０ｍｍで打ち込んでいる。
【００５１】
また、このナイロンコードのコード角度は、トレッドショルダー部ＴＳにおいてタイヤ赤道方向に対し４５度である。通常、二輪車のタイヤではトレッド部の形状が丸いため、トレッドセンター部とトレッドショルダー部で、コード角度および単位長さあたりの打ち込み本数が異なる。これは地球儀に紙を貼り付ける場合と同様であり、外径の大きいトレッドセンター部の方がコードの打ち込みが疎となる。タイヤの製造上、トレッドセンター部の方がトレッドショルダー部に比べてタイヤ赤道方向に対するコード角度が小さくなる傾向にある。本実施例ではトレッドショルダー部ＴＳでのコード角度で規定しており、カーカスプライ１５Ａ、１５Ｂのコード角度を、トレッド端Ｔからタイヤセンター側に０．１Ｌの距離の位置で測定した。
【００５２】
スパイラルベルト層２０のコードは、芳香族ポリアミド（商品名はケブラー）を撚って０．７ｍｍφのコードとし、打ち込み間隔６０本／５０ｍｍでスパイラル状に巻き付けて形成している。その際、２本の並列したコードを被覆ゴム中に埋設した帯状体を、略タイヤ赤道方向（略タイヤ周方向）に沿って螺旋状にタイヤ回転軸方向に巻きつけた。なお、２本ではなく１本のまま巻きつけても良い。なお、スパイラルベルト層２０のコードとしてスチールコードを用いてもよい。例えば直径０．１８ｍｍのスチール単線を１×３タイプで撚ったスチールコードを打ら込み間隔６０本／５０ｍｍでスパイラル状に巻きつけて形成してもよい。
【００５３】
（実施例２）
実施例２は第２実施形態に係る二輪車用空気入りタイヤの一例である。実施例２は、実施例１に比べ、スパイラルベルト層２０のタイヤ径方向外側に最外層ベルトとして補強ベルト２２を１枚追加した構造である。補強ベルト２２の幅は２４０ｍｍで、タイヤセンターＣＬからの片側の幅は１２０ｍｍである。
【００５４】
補強ベルト２２のタイヤ周方向に対するコード角度は９０°であり、コード材質は芳香族ポリアミド（商品名はケブラー）である。ケブラー繊維を０．７ｍｍφに撚ってコードとし、コードの打ち込み本数を３０本／５０ｍｍとした。
【００５５】
また、コードを覆うコーティングゴムの厚みは両側ともに０．１ｍｍであった。ここで、コーティングゴムの厚みとは、コードの表面からシート状部材のゴムの表面までの厚みを意味する。すなわち、０．７ｍｍφのコードの両側に０．１ｍｍのコーティングゴムが存在するため、シートの厚みは０．９ｍｍとなる。
【００５６】
なお、スパイラルベルト層２０の幅は１８０ｍｍで実施例１と同じである。
【００５７】
（実施例３）
実施例３は、実施例２に比べ、幅が異なるスパイラルベルト層を備えている。このスパイラルベルト層の幅は１６０ｍｍで、タイヤセンターＣＬからの片側の幅は８０ｍｍであり、Ｌ（タイヤセンターＣＬからトレッド端Ｔまでのトレッド表面距離）の０．６６７倍である。
【００５８】
（実施例４）
実施例４は、実施例２に比べ、幅が異なるスパイラルベルト層を備えている。このスパイラルベルト層の幅は２００ｍｍで、タイヤセンターＣＬからの片側の幅は１００ｍｍであり、Ｌの０．８３３倍である。
【００５９】
（比較例１）
比較例１は、実施例２に比べ、幅が異なるスパイラルベルト層を備えている。このスパイラルベルト層の幅は１４０ｍｍで、タイヤセンターからの片側の幅は７０ｍｍであり、Ｌの０．５８３倍である。
【００６０】
（比較例２）
比較例２は、実施例２に比べ、幅が異なるスパイラルベルト層を備えている。このスパイラルベルト層の幅は２１０ｍｍで、タイヤセンターからの片側の幅は１０５ｍｍであり、Ｌの０．８７５倍である。
【００６１】
（実施例５）
実施例５は、実施例２に比べ、コード角度（タイヤ周方向に対してなすコードの角度）が異なるカーカス層を備えている。このカーカス層を構成する２枚のカーカスプライのコード角度は８０度である。
【００６２】
（実施例６）
実施例６は、実施例２に比べ、コード角度が異なるカーカス層を備えている。このカーカス層を構成する２枚のカーカスプライのコード角度は９０度である。すなわち、実施例６はラジアル構造のタイヤである。
【００６３】
なお、実施例６のようにラジアル構造のタイヤとした場合、カーカスプライを１枚にしてもよい。
【００６４】
（比較例３）
比較例３は、実施例２に比べ、コード角度が異なるカーカス層を備えている。このカーカス層を構成する２枚のカーカスプライのコード角度は２５度である。
【００６５】
（実施例７）
実施例７は、実施例２に比べて、補強ベルトのコーティングゴムの厚みを、スパイラルベルトに接する側について０．７ｍｍにしたものである。補強ベルトのコーティングゴムは半径方向外側で０．１ｍｍ、半径方向内側で０．７ｍｍである。半径方向内側のコーティングゴムは補強ベルトの全幅にわたって厚くなっている。
【００６６】
（試験方法、及び、評価結果）
本試験例では、まず狙いの車体を傾けたときのトラクション性能がどれだけ向上しているかを評価するためにドラムを用いて以下のようにして規定の試験を行った。
【００６７】
本試験例では、全てのタイヤについて、標準リムに組み込み後、タイヤ内圧２４０ｋＰａとした。ここで、標準リムとは、ＪＡＴＭＡが発行する２００６年版のＹＥＡＲ  ＢＯＯＫに定められた適用サイズにおける標準リムを指す。
【００６８】
試験機としては、直径３ｍのドラムに紙やすりを貼り付け、紙やすりを路面に見立てる。そして、ドラムを１００ｋｍ／ｈで転動させ、ドラム上側から、タイヤをキャンバ角５０度で荷重１５０ｋｇｆで紙やすりに押し付ける。本試験例では、タイヤには回転軸に動力を伝えるチェーンを掛けており、駆動力を掛けることが可能になっている。本試験例ではモーターを用いて駆動力を加えた。
【００６９】
本試験例では、タイヤを１００ｋｍ／ｈで回転させておき、駆動力を加えてタイヤを１２０ｋｍ／ｈまで、３秒の時間で線形に加速させる。そのとき、ドラムは１００ｋｍ／ｈで転動しているため、タイヤに駆動力が掛かった状態となり、車体が傾いた状態におけるトラクションを測定できる。タイヤに働く力を、タイヤのホイール中心に設置した力センサーで読み取る。
【００７０】
読み取ったこの力を、横軸にＦｘ（タイヤ進行方向に平行な方向に作用する力）、縦軸にＦｙ（タイヤ進行方向に垂直な方向に作用する力）として描くと、図３に示すような波形Ｐ、Ｑが得られる。この波形Ｐ、Ｑは摩擦楕円と呼ばれるが、Ｆｘ＝０においてのＦｙの切片は駆動力０での純粋な横力を示し、これがキャンバースラストと呼ばれる力である。本試験例では、タイヤに駆動力を加えてタイヤの回転を速くする事でトラクション状態のタイヤのグリップ性能を評価している。時間と共に、グラフの波形はＦｘが正の方向に移動する。Ｆｘの最大値がトラクショングリップの指標といえる。
【００７１】
本試験例では、従来例のＦｘの最大値を指数１００として、他のタイヤの性能（トラクション性能）を相対評価となる指数で評価した。評価結果を表１に示す。
【表１】
0005179803.tif 000002
【００７２】
次に、実車を用いた操縦性能比較試験を行った。上記各タイヤ（実施例１〜７、比較例１〜３、及び、従来例）はリア用のタイヤであったため、フロントのタイヤを常に従来どおりとし、リアのみのタイヤを交換して実車試験を行った。試験方法、評価方法を次に記す。
【００７３】
上記の供試タイヤ（実施例１〜７、比較例１〜３、及び、従来例）を、１０００ｃｃのスポーツタイプの二輪車に装着して、テストコースで実車走行させ、操縦安定性（コーナリング性能）を、テストライダーのフィーリングによる１０点法で総合評価した。コースでは自動二輪車レースを意識した激しい走行を行い、最高速度は２２０ｋｍ／ｈに達した。
【００７４】
評価項目は以下の４つである。評価結果を表１に併せて示す。
１）低速コーナーでのトラクション性能（速度７０ｋｍ／ｈで大きく車体を倒した状態からの加速性能）
２）低速コーナーでの旋回性能（速度７０ｋｍ／ｈで大きく車体を倒した状態での横力グリップ性）
３）旋回時のバイクを倒しこむときの連続性（倒しこみ時に異常な挙動をしないことの性能）
【００７５】
また、テストコースを１０周走った時のタイヤショルダー部の偏摩耗状態を確認した。すなわち、タイヤショルダー部の摩耗量を測定し、従来例のタイヤの摩耗量を指数１０としたときの他のタイヤの摩耗量を相対評価となる指数で求めた。この指数を表１に併せて示す。摩耗量については指数が小さいほど摩耗が少なくて良好であることを示す。
【００７６】
以上の評価結果から本発明者は以下の考察を行った。
実施例１ではベルト層の最外層に、タイヤ周方向に対するコード角度が９０度の補強ベルト３４（図２参照）がないため、スパイラルベルト層２０の端部の段差をライダーが感じて評点が低めとなった。他の実施例（実施例２〜６）では、ベルト層の最外層に、コード角度９０度の補強ベルトが配置されているため、段差はあるものの気にならないレベルになった。実施例２〜４、比較例１、２により、スパイラルベルト層の幅の好ましい範囲が判る。
【００７７】
実施例２、５、６と比較例３から、カーカスプライの交錯角度の影響がわかる。実施例６はラジアル構造であり、すなわちカーカスプライが交錯していない。そのため、カーカスプライの面内剪断剛性が足りず、特に大きく車体を倒す低速コーナーで横方向のグリップ力が不足気味である。しかし、コード角度９０度であるこのカーカスプライはタイヤ周方向に伸びやすいので、トラクション指数は最も高く、効果がある。横力とトラクションとのバランスを考えた場合、カーカスプライのコード角度は、４５度〜８０度が好ましい。
【００７８】
一方、比較例３はカーカスプライのコード角度が２５度と小さく、カーカスプライがタイヤ周方向に伸び難いため、トラクション指数が低い。そのため摩耗量も実施例１〜７に比べて多く、耐摩耗性は実施例１〜７よりも悪い。
【００７９】
実施例２と実施例７とから、補強ベルトのコーティングゴムの厚みの効果がわかる。実施例７のようにスパイラルベルト層に接する側のコーティングゴムを厚くすることで、倒し込んだ時のスパイラルベルトが存在する部分と存在しない部分との境界での段差は全く感じられなくなった。
【００８０】
摩耗量については、実施例１〜７では従来例の摩耗量のほぼ半分であり、トレッドショルダー部の摩耗量を抑制できていることがわかる。なお比較例１や２でも効果はあるが、実施例１〜５に比べると効果は少ない。比較例３では摩耗量低減の効果は殆ど無かった。実施例で摩耗量が少ないのは、先に述べたようにトレッド端部で骨格部材が伸びやすく、トレッド端部でのベルトの速度が速まって、タイヤセンター側の速度とトレッド端側の速度との差が縮まり、トラクションをかけたときにトレッドセンター側から先に滑ってしまうことが抑制されているからであると考えられる。
【００８１】
以上、実施形態を挙げて本発明の実施の形態を説明したが、これらの実施形態は一例であり、要旨を逸脱しない範囲内で種々変更して実施できる。また、本発明の権利範囲がこれらの実施形態に限定されないことは言うまでもない。
【図面の簡単な説明】
【００８２】
【図１】第１実施形態に係る二輪車用空気入りタイヤのタイヤ径方向断面図である。
【図２】第２実施形態に係る二輪車用空気入りタイヤのタイヤ径方向断面図である。
【図３】試験例で測定した力を説明する説明図である。
【図４】二輪車用空気入りタイヤの接地状態を示す説明図である。
【図５】従来例の二輪車用空気入りタイヤのタイヤ径方向断面図である。
【符号の説明】
【００８３】
１０  二輪車用空気入りタイヤ
１４  カーカス層
１４Ｃ  クラウン部
１５Ａ  カーカスプライ
１５Ｂ  カーカスプライ
１８  トレッド部
２０  スパイラルベルト層（ベルト層、スパイラルベルト層）
２１  ゴム被覆コード層
２２  補強ベルト
２６  二輪車用空気入りタイヤ
ＣＬ  タイヤセンター
Ｔ    トレッド端
ＴＳ  トレッドショルダー部
【図１】
0005179803.tif 000003
【図２】
0005179803.tif 000004
【図３】
0005179803.tif 000005
【図４】
0005179803.tif 000006
【図５】
0005179803.tif 000007